【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
プロバイダ・デバイスからネットワーク・アクセスするためにクライアント・デバイスを登録するための、コンピュータで実行される方法であって、
前記方法は、
ユーザ・アカウントに関連する１つ又は複数のプロバイダ・デバイスから前記ユーザ・アカウントに関連する１つ又は複数のクライアント・デバイスにネットワーク・アクセスを提供するために、前記ユーザ・アカウントに関する許可要求をサーバ側で受信することと、
前記１つ又は複数のクライアント・デバイスのそれぞれのための固有ＩＤを受信することと、
前記サーバから、前記１つ又は複数のクライアント・デバイスのそれぞれのための前記固有ＩＤを前記１つ又は複数のプロバイダ・デバイスのそれぞれに提供することと、
前記１つ又は複数のクライアント・デバイスのうちの少なくとも１つのクライアント・デバイスからのネットワーク・アクセスに関する要求についてモニターするための指示を前記１つ又は複数のプロバイダ・デバイスのうちの少なくとも１つのプロバイダ・デバイスに提供することと、
を含み、
前記少なくとも１つのクライアント・デバイスからの前記要求は前記少なくとも１つのクライアント・デバイスの前記固有ＩＤを含み、
前記少なくとも１つのプロバイダ・デバイスは前記要求に応答して前記少なくとも１つのクライアント・デバイスにネットワーク・アクセス情報を提供するように構成され、
前記１つ又は複数のクライアント・デバイスおよび前記１つ又は複数のプロバイダ・デバイスは、ユーザ・インターフェースを介して、前記ユーザ・アカウントのユーザによって指定され、
前記ユーザ・インターフェースは、前記ユーザが前記１つ又は複数のプロバイダ・デバイスを選択するための第１のデバイスリストを表示し、前記ユーザが前記１つ又は複数のクライアント・デバイスを選択するための第２のデバイスリストを表示し、
前記第１のデバイスリストは、前記ユーザ・アカウントに関連するすべてのデバイスのサブセットに対応し、前記サブセットは、ホットスポットとして作用することが可能なデバイスに限定される、方法。
【請求項２】
前記１つ又は複数のクライアント・デバイスのそれぞれのための前記固有ＩＤはＭＡＣアドレスを含む、請求項１に記載の方法。
【請求項３】
前記ユーザ・アカウントに関する認証情報を受信することを更に含む、請求項１に記載の方法。
【請求項４】
前記ユーザ・アカウントに関連するユーザ・インターフェースの表示を可能にすることを更に含む、請求項３に記載の方法。
【請求項５】
前記第２のデバイスリストは、前記ユーザ・アカウントに関連するすべてのデバイスの第２のサブセットに対応し、前記第２のサブセットは、ホットスポットに接続することが可能なデバイスに限定される、請求項４に記載の方法。
【請求項６】
前記ユーザ・インターフェースは、前記１つ又は複数のクライアント・デバイスのそれぞれのための前記固有ＩＤの受信を可能にする、請求項４に記載の方法。
【請求項７】
プロバイダ・デバイスからネットワーク・アクセスするためにクライアント・デバイスを登録するためのシステムであって、
前記システムは、
１つ又は複数のプロセッサと、
命令を含む機械可読媒体と、
を含み、
前記命令は前記機械可読媒体に保管され、
前記命令は、前記プロセッサによって実行されたときに、前記プロセッサに動作を実行させ、
前記動作は、
ユーザ・アカウントに関連する１つ又は複数のプロバイダ・デバイスから前記ユーザ・アカウントに関連する１つ又は複数のクライアント・デバイスにネットワーク・アクセスを提供するために前記ユーザ・アカウントに関する許可要求を受信することと、
前記１つ又は複数のクライアント・デバイスのそれぞれのための固有ＭＡＣアドレスを受信することと、
前記１つ又は複数のクライアント・デバイスのそれぞれのための前記固有ＭＡＣアドレスを前記１つ又は複数のプロバイダ・デバイスのそれぞれに提供することと、
前記１つ又は複数のクライアント・デバイスのうちの少なくとも１つのクライアント・デバイスからのネットワーク・アクセスに関する要求についてモニターするための指示を前記１つ又は複数のプロバイダ・デバイスのうちの少なくとも１つのプロバイダ・デバイスに提供することと、
を含み、
前記少なくとも１つのクライアント・デバイスからの前記要求は前記少なくとも１つのクライアント・デバイスの前記固有ＭＡＣアドレスを含み、
前記少なくとも１つのプロバイダ・デバイスは前記要求に応答して前記少なくとも１つのクライアント・デバイスにネットワーク・アクセス情報を提供するように構成され、
前記１つ又は複数のクライアント・デバイスおよび前記１つ又は複数のプロバイダ・デバイスは、ユーザ・インターフェースを介して、前記ユーザ・アカウントのユーザによって指定され、
前記ユーザ・インターフェースは、前記ユーザが前記１つ又は複数のプロバイダ・デバイスを選択するための第１のデバイスリストを表示し、前記ユーザが前記１つ又は複数のクライアント・デバイスを選択するための第２のデバイスリストを表示し、
前記第１のデバイスリストは、前記ユーザ・アカウントに関連するすべてのデバイスのサブセットに対応し、前記サブセットは、ホットスポットとして作用することが可能なデバイスに限定される、システム。
【請求項８】
クライアント・デバイスにネットワーク・アクセスを提供するための、コンピュータで実行される方法であって、
前記方法は、
ユーザ・アカウントに関連するクライアント・デバイスのための固有ＩＤをサーバから受信することと、
前記クライアント・デバイスからの要求であって前記クライアント・デバイスのためのネットワーク・アクセスに関するものである前記要求についてモニターするための標識を前記サーバから受信することと、
前記標識を受信したことに応答して、前記クライアント・デバイスからの前記要求についてモニターすることと、
前記クライアント・デバイスからの前記要求であって前記クライアント・デバイスの前記固有ＩＤを含む前記要求を受信することと、
前記クライアント・デバイスの前記固有ＩＤが前記ユーザ・アカウントに関連するものであるかどうかを検証することと、
前記クライアント・デバイスの前記固有ＩＤが前記ユーザ・アカウントに関連するものであると検証された場合に、ネットワーク・アクセスするために前記ユーザ・アカウントに関連するプロバイダ・デバイスに接続するためのアクセス情報を前記クライアント・デバイスに提供することと、
を含み、
前記クライアント・デバイスおよび前記プロバイダ・デバイスは、ユーザ・インターフェースを介して、前記ユーザ・アカウントのユーザによって指定され、
前記ユーザ・インターフェースは、前記ユーザが前記プロバイダ・デバイスを選択するための第１のデバイスリストを表示し、前記ユーザが前記クライアント・デバイスを選択するための第２のデバイスリストを表示し、
前記第１のデバイスリストは、前記ユーザ・アカウントに関連するすべてのデバイスのサブセットに対応し、前記サブセットは、ホットスポットとして作用することが可能なデバイスに限定される、方法。
【請求項９】
前記固有ＩＤはＭＡＣアドレスを含む、請求項８に記載の方法。
【請求項１０】
前記固有ＩＤの受信、前記標識の受信、前記モニター、前記要求の受信、前記検証、及び前記提供が、複数のクライアント・デバイスについて実行され、該クライアント・デバイスのそれぞれが固有ＩＤを有する、請求項８に記載の方法。
【請求項１１】
前記クライアント・デバイスとのピアツーピア接続を確立することを更に含み、
前記クライアント・デバイスへの前記アクセス情報の提供が、前記確立されたピアツーピア接続を使用して実行される、請求項８に記載の方法。
【請求項１２】
前記要求のモニター及び前記要求の受信が所定のネットワーク周波数又は設定に基づいて行われる、請求項８に記載の方法。
【請求項１３】
クライアント・デバイスにネットワーク・アクセスを提供するための、ユーザ・アカウントに関連するプロバイダ・デバイスであって、
前記プロバイダ・デバイスは、
１つ又は複数のプロセッサと、
命令を含む機械可読媒体と、
を含み、
前記命令は前記機械可読媒体に保管され、
前記命令は、前記プロセッサによって実行されたときに、前記プロセッサに動作を実行
させ、
前記動作は、
前記ユーザ・アカウントに関連する前記クライアント・デバイスのための固有ＩＤをサーバから受信することと、
前記クライアント・デバイスからの要求であって前記クライアント・デバイスのためのネットワーク・アクセスに関するものである前記要求についてモニターするための標識を前記サーバから受信することと、
前記標識を受信したことに応答して、前記クライアント・デバイスからの前記要求についてモニターすることと、
前記クライアント・デバイスからの前記要求であって前記クライアント・デバイスの前記固有ＩＤを含む前記要求を受信することと、
前記クライアント・デバイスの前記固有ＩＤが前記ユーザ・アカウントに関連するものであるかどうかを検証することと、
前記クライアント・デバイスの前記固有ＩＤが前記ユーザ・アカウントに関連するものであると検証された場合に、
前記クライアント・デバイスとのピアツーピア接続を確立することと、
前記確立されたピアツーピア接続を介して、ネットワーク・アクセスするために前記プロバイダ・デバイスに接続するためのアクセス情報を前記クライアント・デバイスに提供することと、
を含み、
前記クライアント・デバイスおよび前記プロバイダ・デバイスは、ユーザ・インターフェースを介して、前記ユーザ・アカウントのユーザによって指定され、
前記ユーザ・インターフェースは、前記ユーザが前記プロバイダ・デバイスを選択するための第１のデバイスリストを表示し、前記ユーザが前記クライアント・デバイスを選択するための第２のデバイスリストを表示し、
前記第１のデバイスリストは、前記ユーザ・アカウントに関連するすべてのデバイスのサブセットに対応し、前記サブセットは、ホットスポットとして作用することが可能なデバイスに限定される、プロバイダ・デバイス。
【請求項１４】
ネットワーク・アクセスのためにクライアント・デバイスをプロバイダ・デバイスに接続するための、コンピュータで実行される方法であって、
前記方法は、
ユーザ・アカウントに関連するクライアント・デバイス上で、前記ユーザ・アカウントに関連するプロバイダ・デバイスから、ネットワーク・アクセスに関する要求を受信することと、
ネットワーク・アクセスに関する要求であって前記クライアント・デバイスの固有ＩＤを含む要求を前記プロバイダ・デバイスに送信することと、
前記ユーザ・アカウントに関連する前記プロバイダ・デバイスから、ネットワーク・アクセスするために前記プロバイダ・デバイスに接続するためのアクセス情報を受信することと、
前記受信したアクセス情報を使用して、ネットワーク・アクセスするために前記プロバイダ・デバイスに接続することと、
を含み、
前記クライアント・デバイスおよび前記プロバイダ・デバイスは、ユーザ・インターフェースを介して、前記ユーザ・アカウントのユーザによって指定され、
前記ユーザ・インターフェースは、前記ユーザが前記プロバイダ・デバイスを選択するための第１のデバイスリストを表示し、前記ユーザが前記クライアント・デバイスを選択するための第２のデバイスリストを表示し、
前記第１のデバイスリストは、前記ユーザ・アカウントに関連するすべてのデバイスのサブセットに対応し、前記サブセットは、ホットスポットとして作用することが可能なデバイスに限定される、方法。
【請求項１５】
前記固有ＩＤはＭＡＣアドレスを含む、請求項１４に記載の方法。
【請求項１６】
前記プロバイダ・デバイスは、前記ユーザ・アカウントに関連し、かつ前記ユーザ・アカウントの前記ユーザによって指定される複数のプロバイダ・デバイスのうちの１つである、請求項１４に記載の方法。
【請求項１７】
前記プロバイダ・デバイスは、前記クライアント・デバイスに対する前記プロバイダ・デバイスの近接性に基づいて前記複数のプロバイダ・デバイスの中から選択される、請求項１６に記載の方法。
【請求項１８】
ネットワーク・アクセスに関する前記要求がユーザから受信され、前記ユーザからの受信入力に応答して前記要求の前記送信が実行される、請求項１４に記載の方法。
【請求項１９】
ネットワーク・アクセスに関する前記要求が自動要求であり、前記自動要求に応答して前記要求の前記送信が実行される、請求項１４に記載の方法。
【請求項２０】
前記プロバイダ・デバイスとのピアツーピア接続を確立することを更に含み、
前記アクセス情報の受信及び前記プロバイダ・デバイスへの接続は、前記確立されたピアツーピア接続を使用して実行される、請求項１４に記載の方法。
【請求項２１】
前記要求の前記送信が所定のネットワーク周波数又は設定に基づいて行われる、請求項１４に記載の方法。
【請求項２２】
ネットワーク・アクセスのためにプロバイダ・デバイスに接続するための、ユーザ・アカウントに関連するクライアント・デバイスであって、
前記クライアント・デバイスは、
１つ又は複数のプロセッサと、
命令を含む機械可読媒体と、
を含み、
前記命令は前記機械可読媒体に保管され、
前記命令は、前記プロセッサによって実行されたときに、前記プロセッサに動作を実行させ、
前記動作は、
ユーザ・アカウントに関連するプロバイダ・デバイスから、ネットワーク・アクセスに関する要求を受信することと、
ネットワーク・アクセスに関する要求であって前記クライアント・デバイスの固有ＩＤを含む要求を前記プロバイダ・デバイスに送信することと、
前記プロバイダ・デバイスとのピアツーピア接続を確立することと、
前記ユーザ・アカウントに関連する前記プロバイダ・デバイスから、前記確立されたピアツーピア接続を介して、ネットワーク・アクセスするために前記プロバイダ・デバイスに接続するためのアクセス情報を受信することと、
前記確立されたピアツーピア接続を介して、前記受信したアクセス情報を使用して、ネットワーク・アクセスするために前記プロバイダ・デバイスに接続することと、
を含み、
前記クライアント・デバイスおよび前記プロバイダ・デバイスは、ユーザ・インターフェースを介して、前記ユーザ・アカウントのユーザによって指定され、
前記ユーザ・インターフェースは、前記ユーザが前記プロバイダ・デバイスを選択するための第１のデバイスリストを表示し、前記ユーザが前記クライアント・デバイスを選択するための第２のデバイスリストを表示し、
前記第１のデバイスリストは、前記ユーザ・アカウントに関連するすべてのデバイスのサブセットに対応し、前記サブセットは、ホットスポットとして作用することが可能なデバイスに限定される、クライアント・デバイス。